(57)【要約】【課題】従来のバックライトが付設しない入力装置を用いることができる入力装置を提供する。【解決手段】バックライトモジュールと、電源と電気的に連結されるように該バックライトモジュールと電気的に接続され、制御端を有するスイッチモジュールと、外部からの操作により入力信号を生成する入力モジュールと、電源と電気的に連結されるように前記入力モジュールと前記スイッチモジュールの制御端と電気的に連結され、制御信号を生成する制御モジュールと、該制御モジュールと電気的に連結され、該制御信号に基づき作動され、指示信号を生成するか否かになる指示ユニットとを備え、前記スイッチモジュールは、前記制御端に前記制御信号が入力されるようになっており、且つ、該制御信号に基づいて、前記バックライトモジュールを作動／不作動させるように、オン／オフを切り替えるように構成される入力装置を提供する。【選択図】図１
0003155314.tif 000002
【実用新案登録請求の範囲】
【請求項１】
バックライトモジュールと、
電源と電気的に連結されるように前記バックライトモジュールと電気的に接続され、制御端を有するスイッチモジュールと、
外部からの操作により入力信号を生成する入力モジュールと、
電源と電気的に連結されるように前記入力モジュールと前記スイッチモジュールの制御端と電気的に連結され、制御信号を生成する制御モジュールと、
前記制御モジュールと電気的に連結され、該制御信号に基づき作動され、指示信号を生成するか否かになる指示ユニットとを備え、
前記スイッチモジュールは、前記制御端に前記制御信号が入力されるようになっており、前記制御信号に基づいて、前記バックライトモジュールを作動／不作動させるように、オン／オフを切り替えるように構成されることを特徴とする入力装置。
【請求項２】
さらに、前記スイッチモジュールと前記制御モジュールとに電気的に接続され、状態信号を出力するコネクトモジュールを備え、
前記制御モジュールは、前記コネクトモジュールより出力される状態信号に基づいて前記制御信号を生成し、前記制御信号に基づき前記指示ユニットを不作動にさせると共に、前記スイッチモジュールをオフさせるように構成されることを特徴とする請求項１に記載の入力装置。
【請求項３】
前記入力モジュールは、複数の入力キーを有するキーユニットを有し、前記複数の入力キーにおける所定の一つの入力キーを押すことによって前記入力信号を生成するように構成されることを特徴とする請求項１に記載の入力装置。
【請求項４】
前記入力装置は、コンピュータに接続し複数の入力キーを有するキーボードであり、前記複数の入力キーにおける所定の一つの入力キーを押すことによって前記入力信号を生成するように構成されることを特徴とする請求項２に記載の入力装置。
【請求項５】
前記複数の入力キーにおける所定の一つの入力キーとしては、スクロールロックキー、ナムロックキー又はキャプスロックキーであることを特徴とする請求項４に記載の入力装置。
【請求項６】
前記状態信号は、コンピュータよりのシャットダウン信号又は休止状態信号であることを特徴とする請求項４に記載の入力装置。
【請求項７】
前記コネクトモジュールは、ユニバーサル・シリアル・バスインタフェースモジュール、ピーエスツーインタフェースモジュール、赤外線通信インタフェースモジュール又はブルートゥース（商標名称）インタフェースモジュールであることを特徴とする請求項２に記載の入力装置。
【考案の詳細な説明】
【技術分野】
【０００１】
本考案は、入力装置に関し、より詳しくはバックライトが付いた入力装置に関する。
【背景技術】
【０００２】
従来、夜間や暗い場所でコンピューター、ノートパソコン又は携帯電話を使用するため、バックライト付き入力装置が使用されている。
【０００３】
従来のバックライト付き入力装置としては、例えば、バックライト付きキーボードにおいての入力モジュールと、入力モジュールに電気的に接続された制御モジュールと、前記制御モジュールと電気的に接続されたスイッチモジュールと、スイッチモジュールに関係なく制御モジュールと電気的に接続された指示ユニットと、スイッチモジュールと電気的に接続されたバックライトモジュールとを備えた入力装置がある。この入力装置においてのそれぞれのモジュール及び指示ユニットの働きは、入力モジュールが、例えばユーザーからのキーボードによる入力で入力信号を発生し出力する。制御モジュールが、該入力信号に基づいて制御信号を生成し出力する。スイッチモジュールが、該制御モジュールの制御信号に基づいてオン状態・オフ状態を切り替える。指示ユニットが、該制御モジュールによって作動され、指示信号を生成するか否かになる。バックライトモジュールが、スイッチモジュールのオン状態・オフ状態により点滅されるように構成される。
【考案の概要】
【考案が解決しようとする課題】
【０００４】
しかしながら、この従来のバックライト付き入力装置は、指示ユニット及びスイッチモジュールが別々制御モジュールに接続された状態で、制御モジュールにより指示ユニット及びバックライトを作動させるのであるが、他のバックライトが付設しないキーボード等の入力装置には制御モジュールのスイッチモジュール接続用の端子はないため、バックライトを付設するには、直接バックライト付き入力装置に用いることができず、わざわざ２端子つきの制御モジュールを生産しなければならない問題点がある。
【０００５】
一方、スイッチモジュールは、入力モジュールからの入力信号ではなく手動によりオン／オフを切替ることでバックライトを点滅できるように構成される場合であれば従来のバックライトが付設しないキーボードをもバックライト付き入力装置として用いることができるが、接続しているコンピュータがシャットダウンや休止状態になっても、スイッチモジュールに対してオフ操作を行わなければバックライトモジュールが消灯しないため、電気の無駄使いになる問題点もある。
【０００６】
本考案は、従来の問題点に鑑みてなされたものであり、バックライトを付設するのに、従来のバックライトが付設しない入力装置を直接用いることができる入力装置を提供する。
【課題を解決するための手段】
【０００７】
前記目的を達成するために、本考案は、バックライトモジュールと、電源と電気的に連結されるように前記バックライトモジュールと電気的に接続され、制御端を有するスイッチモジュールと、外部からの操作により入力信号を生成する入力モジュールと、電源と電気的に連結されるように前記入力モジュールと前記スイッチモジュールの制御端と電気的に連結され、制御信号を生成する制御モジュールと、前記制御モジュールと電気的に連結され、該制御信号に基づき作動され、指示信号を生成するか否かになる指示ユニットとを備え、前記スイッチモジュールは、前記制御端に前記制御信号が入力されるようになっており、前記制御信号に基づいて、前記バックライトモジュールを作動／不作動させるように、オン／オフを切り替えるように構成されることを特徴とする入力装置を提供する。
【０００８】
また、前記入力装置においては、前記電源に電気的に接続されるように前記スイッチモジュールと前記制御モジュールとに電気的に接続され、状態信号が入力されるコネクトモジュールを備え、前記制御モジュールは、前記コネクトモジュールより出力される状態信号に基づいて前記制御信号を生成し、前記制御信号に基づき前記指示ユニットを不作動にさせると共に、前記スイッチモジュールをオフさせるように構成されてもよい。
【０００９】
また、前記入力装置において、前記入力モジュールは、複数の入力キーを有するキーユニットを有し、前記複数の入力キーにおける所定の一つの入力キーを押すことによって前記入力信号を生成するように構成されることが好ましい。
【００１０】
また、前記入力装置は、コンピュータに接続し複数の入力キーを有するキーボードであり、前記複数の入力キーにおける所定の一つの入力キーを押すことによって前記入力信号を生成するように構成されてもよい。
【００１１】
また、前記複数の入力キーにおける所定の一つの入力キーとしては、スクロールロックキー、ナムロックキー又はキャプスロックキーであることが好ましい。
【００１２】
また、前記状態信号は、コンピュータよりのシャットダウン信号又は休止状態信号であることが好ましい。
【００１３】
また、前記コネクトモジュールは、ユニバーサル・シリアル・バスインタフェースモジュール、ピーエスツーインタフェースモジュール、赤外線通信インタフェースモジュール又はブルートゥース（商標名称）インタフェースモジュールであることが好ましい。
【考案の効果】
【００１４】
本考案の入力装置によれば、制御モジュールは、入力モジュールからの入力信号により制御信号を生成し、この制御信号に基づいて、指示ユニットへの制御ができると共に、スイッチモジュールをオン状態又はオフ状態に切り替え、バックライトの点滅状態を制御することもできる。したがって、従来のバックライトが付設しないキーボードをも用いることができる。また、スイッチモジュールと制御モジュールとに電気的に接続され、状態信号が入力されるコネクトモジュールを備えることにより、該状態信号によってスイッチモジュールをオフ状態にすることができるので、手動操作をする必要なく、バックライトを消灯することができ、電力を無駄に使うことがない。
【図面の簡単な説明】
【００１５】
【図１】本考案の好ましい実施の形態例のバックライト付き入力装置を示すブロック図である。
【図２】本考案のバックライト付き入力装置の一実施の形態例を示す斜視図である。
【考案を実施するための形態】
【００１６】
以下、図１及び図２を参照しながら、本考案の実施例を説明する。
【実施例】
【００１７】
図１に示すように、本実施例の入力装置１は、電源と電気的に接続されるように入力モジュール２と、入力モジュール２と電気的に接続された制御モジュール６と、制御モジュール６と電気的に接続された指示ユニット７と、制御モジュール６及び指示ユニット７の間に電気的に接続されたスイッチモジュール５と、スイッチモジュール５と電気的に接続されたバックライトモジュール３とを備えている。なお、この入力装置１としては、図２に示すように、複数の入力キーを有するコンピュータ用キーボードを例として挙げることができる。
【００１８】
入力モジュール２は、外部からの操作により入力信号を生成する。入力モジュール２としては、好ましくは、複数の入力キーを有するキーユニットを有するもので、複数の入力キーにおける所定の一つの入力キーを押すことによって入力信号を生成するように構成される。所定の一つの入力キーとしては、ナムロック（Ｎｕｍ Ｌｏｃｋ）キー２１、キャプスロック（Ｃａｐｓ Ｌｏｃｋ）キー２２又はスクロールロック（Ｓｃｒｏｌｌ Ｌｏｃｋ）キー２３とすることが好ましく、本例においては、普段での使用率が低いスクロールロックキー２３を所定の一つの入力キーとする。
【００１９】
制御モジュール６は、入力モジュール２からの入力信号が入力されると制御信号を生成する。
【００２０】
指示ユニット７は、制御モジュール６からの制御信号に基づいて作動され、指示信号を生成するか否かになるように構成される。本例においては、指示ユニット７は、スクロールロックキー２３に対応し、スクロールロックが機能しているか否かを示すものである。指示ユニット７としては、指示信号として発光する発光ダイオードを用いるが、指示信号としての音を出すブザーなどを用いてもよい。
【００２１】
スイッチモジュール５は、制御モジュール６に電気的に連結される制御端を有し、該制御端に制御信号が入力される。また、スイッチモジュール５は、制御モジュール６からの制御信号によりバックライトモジュール３を作動／不作動させるようにオン／オフを切り替えるように構成される。本例においては、スイッチモジュール５としては、電力トランジスタを用いる。
【００２２】
以上の構成により、本例の入力装置１は、スイッチモジュール５が制御モジュール６及び指示ユニット７の間に電気的に接続されることによって、スイッチモジュール５が指示ユニット７と共に制御モジュール６からの制御信号により制御される。なお、本例においては、スイッチモジュール５が、制御モジュール６からの制御信号によってオン状態に切り替わり、バックライトモジュール３を作動させると同時に、指示ユニット７も該制御信号によって作動して発光する。
【００２３】
それにより、本考案の入力装置の製造に、制御モジュールのスイッチモジュール接続用の端子が必要ないので、従来のバックライトが付設しないキーボードをも用いることができる。
【００２４】
また、本例の入力装置１は、コンピュータ（図示せず）に接続されるコネクトモジュール４を更に備えている。
【００２５】
コネクトモジュール４は、スイッチモジュール５と制御モジュール６とに電気的に接続されており、コンピュータからの状態信号が入力される。
【００２６】
また、制御モジュール６は、コネクトモジュール４より出力される状態信号に基づいて制御信号を生成し、該制御信号に基づき指示ユニット７を不作動にさせると共に、スイッチモジュール５をオフさせることができるように構成されている。
【００２７】
本例において状態信号としては、コンピュータから出力されるシャットダウン信号又は休止状態信号である。
【００２８】
また、コネクトモジュール４は、ユニバーサル・シリアル・バス（ＵＳＢ）インタフェースモジュール、ピーエスツー（ＰＳ／２）インタフェースモジュール、赤外線通信（ＩｒＤＡ）インタフェースモジュール又はブルートゥース（ｂｌｕｅｔｏｏｔｈ、商標名称）インタフェースモジュールであることが好ましい。
【００２９】
上記の構成により、本実施例の入力装置１は、スイッチモジュール５が、コンピュータのシャットダウン又は休止状態によってオフ状態にされることができるので、バックライトモジュール３がコンピュータのシャットダウンまたは休止状態によって自動的に不作動にされることができる。
【産業上の利用可能性】
【００３０】
本考案の入力装置１は、制御モジュール６にスイッチモジュール５と電気的に連結するための専用端子を配置する必要がないから、バックライトのない入力装置をも利用できるため、新たに入力装置を作ることにより生産コストが増加する問題がなく、バックライトの点滅状態を制御することができる上、コンピュータからの状態信号が入力され該状態信号を出力するコネクトモジュール４を更に備えることにより、シャットダウン信号や休止状態信号などによってバックライトモジュール３を自動的に不作動にさせることができるので、電気の消し忘れによる無駄な消耗を有効に避けることができ、実用上にかなり有利である。
【符号の説明】
【００３１】
入力装置  １
入力モジュール  ２
ナムロックキー  ２１
キャプスロックキー  ２２
スクロールロックキー  ２３
バックライトモジュール  ３
コネクトモジュール  ４
スイッチモジュール  ５
制御モジュール  ６
指示ユニット  ７
【図１】
0003155314.tif 000003
【図２】
0003155314.tif 000004